(57)【要約】【課題】肌や唇に直接当てて化粧料を塗布しても化粧料がずれたり脱落したりせず、その伸び具合や感触をしっかり試すことができ、しかも軽量で嵩張らない化粧料簡易容器を提供する。【解決手段】折り目Ｐを境界として第１の面１２と第２の面１３に区切られており、上記第１の面１２が、平面部１２ａと有天筒状部１４とを備え、上記有天筒状部１４の天面部１４ａには化粧料保持部１５が設けられており、上記第２の面１３が、平面部１３ａと、有底筒状の蓋部１７とを備え、上記折り目Ｐを谷折りし、上記第２の面１３を第１の面１２に折り重ねることにより、第１の面１２の有天筒状部１４に、第２の面１３の蓋部１７が嵌合し、化粧料保持部１５が蓋部１７で覆われるようになっている。【選択図】図１
2018134292.tif 000002
【特許請求の範囲】
【請求項１】
一枚の略帯状シートに凹凸形状が付与された略帯状シート体からなる化粧料簡易容器であって、
上記略帯状シート体を幅方向に横切る折り目Ｐが設けられ、その折り目Ｐを境界として略帯状シート体が第１の面と第２の面に区切られており、
上記略帯状シート体を折らずに延ばした状態において、上記第１の面が、平面部と、型成形によって平面部から上向きに突出した有天筒状部とを備え、上記有天筒状部の天面部には凹状の化粧料保持部が設けられており、
同じく上記略帯状シート体を折らずに延ばした状態において、上記第２の面が、平面部と、型成形によって平面部から下向きに突出した有底筒状の蓋部とを備え、
上記略帯状シート体の折り目Ｐを谷折りし、上記第２の面を第１の面に折り重ねることにより、第１の面の有天筒状部に、第２の面の蓋部が嵌合し、化粧料保持部が蓋部で覆われるようになっていることを特徴とする化粧料簡易容器。
【請求項２】
上記第１の面において、上記有天筒状部が折り目Ｐと反対側の端部に偏って設けられており、上記第１の面の平面部に、上記有天筒状部を挟むＶ字状の折り目Ｑと、このＶ字状の折り目Ｑの頂部から折り目Ｐに向かって長手方向に延びる直線状の折り目Ｒとが設けられ、これらの折り目Ｑ、Ｒを山折りすることにより、上記折り目Ｑに挟まれた部分が、平面部の折り目Ｒに対し傾斜するようになっている請求項１記載の化粧料簡易容器。
【請求項３】
上記折り目Ｒによって二つ折りされる平面部の折り返し面の片方に凸部が設けられ、同じくその他方に凹部が設けられており、上記折り目Ｒによって二つ折りされた平面部の二つ折り状態が、上記凸部と凹部の係合によって保持されるようになっている請求項２記載の化粧料簡易容器。
【請求項４】
上記第１の面に設けられた有天筒状部の、化粧料保持部を有する天面部が、折り目Ｐに向かって下り傾斜に傾いている請求項１記載の化粧料簡易容器。
【請求項５】
上記第１の面の平面部に、平面部から上向きもしくは下向きに突出する補強リブが設けられている請求項１〜４のいずれか一項に記載の化粧料簡易容器。
【請求項６】
上記第２の面に設けられた有底筒状の蓋部において、その底面に、化粧料充填用の穴が形成されているとともに、この穴を塞ぐためのシールが設けられており、上記第１の面に第２の面が折り重ねられた状態で、上記蓋部の化粧料充填用の穴から、第１の面の化粧料保持部に化粧料が充填され、充填後に上記化粧料充填用の穴が上記シールで塞がれるようになっている請求項１〜５のいずれか一項に記載の化粧料簡易容器。
【請求項７】
上記化粧料簡易容器が複数個、互いの長手方向に沿う側縁の少なくとも一部を連結させた状態でつながっており、各化粧料簡易容器の、重ね合わせられた第１の面と第２の面とが個別に開いて化粧料保持部が露出するようになっている請求項１〜６のいずれか一項に記載の化粧料簡易容器。
【発明の詳細な説明】
【技術分野】
【０００１】
本発明は、新製品の化粧料を少量だけサンプルとして配布したり、お試し用やトラベル用の化粧製品としたりするのに適した、化粧料簡易容器に関するものである。
【背景技術】
【０００２】
従来、化粧品会社では、新製品の広告や何らかのキャンペーンを行う場合、新製品やキャンペーンにかかる商品の中身を少量だけ包装した化粧料サンプルを、店頭や街頭で無料配布したり、ダイレクトメールで送付したりすることが多い。
【０００３】
このような化粧料サンプルのうち、口紅やアイシャドウといった油性化粧料のサンプルルとして、例えば、台紙上に少量の化粧料を層状に付着させ、その表面を透明シートで被覆したカードタイプのものが多く出回っている（特許文献１、２を参照）。これらのサンプルでは、透明シートを剥がして化粧料層を露出させ、その部分の化粧料を指先や化粧筆に付着させて化粧するようになっている。
【０００４】
しかしながら、化粧料、とりわけ口紅は、実際には、スティックタイプの商品が多いため、スティック状に成形された化粧料を直接唇に塗布して使用することが多い。これに対し、上記カードタイプの化粧料サンプルでは、実際に唇にスティックタイプの化粧料を塗布する場合の伸びやすさや肌触りの感触を実感することができず、試供品として充分に満足できるものとはいえない。
【０００５】
そこで、本出願人は、図１３（ａ）に示すような外観の、スティックタイプの口紅化粧料を模した使い捨ての化粧料サンプルを開発し、すでに出願している（特許文献３を参照）。このものは、図１３（ａ）のＸ−Ｘ′断面図である図１３（ｂ）に示すように、スティックタイプの口紅化粧料の容器形状を模した中空の射出成形品からなる樹脂ケース１の傾斜した天面部２に、油性化粧料３を充填保持したものである。この化粧料サンプルでは、上記油性化粧料３を保持する天面部２の形状を工夫することにより、少量の化粧料であっても、これを直接肌に当てたときに化粧料がずれたり脱落したりすることがなく、化粧料の伸び具合や感触を実感できるという利点を有している。
【先行技術文献】
【特許文献】
【０００６】
【特許文献１】特許第３５８０６９８号公報
【特許文献２】特開平１１−３１８５５３号公報
【特許文献３】特開２０１６−４３１７９号公報
【発明の概要】
【発明が解決しようとする課題】
【０００７】
しかしながら、上記のものは、スティックタイプの口紅化粧料の容器を模した樹脂ケース１が厚みのある射出成形品であるため、全体が嵩高く、比較的重たいものとなり、材料コスト、製造コストが比較的高くなる。また、色の異なる複数のサンプルを一組としてダイレクトメールする場合や、携帯して持ち歩く場合、その嵩高さや重量による負担感が大きいことから、軽量化、コンパクト化が強く求められている。
【０００８】
本発明は、このような事情に鑑みなされたもので、肌や唇に直接当てて化粧料を塗布しても化粧料がずれたり脱落したりせず、その伸び具合や感触をしっかり試すことができ、しかも軽量で嵩張らない化粧料簡易容器の提供を、その目的とする。
【課題を解決するための手段】
【０００９】
上記の目的を達成するため、本発明は、一枚の略帯状シートに凹凸形状が付与された略帯状シート体からなる化粧料簡易容器であって、上記略帯状シート体を幅方向に横切る折り目Ｐが設けられ、その折り目Ｐを境界として略帯状シート体が第１の面と第２の面に区切られており、上記略帯状シート体を折らずに延ばした状態において、上記第１の面が、平面部と、型成形によって平面部から上向きに突出した有天筒状部とを備え、上記有天筒状部の天面部には凹状の化粧料保持部が設けられており、同じく上記略帯状シート体を折らずに延ばした状態において、上記第２の面が、平面部と、型成形によって平面部から下向きに突出した有底筒状の蓋部とを備え、上記略帯状シート体の折り目Ｐを谷折りし、上記第２の面を第１の面に折り重ねることにより、第１の面の有天筒状部に、第２の面の蓋部が嵌合し、化粧料保持部が蓋部で覆われるようになっている化粧料簡易容器を第１の要旨とする。
【００１０】
また、本発明は、そのなかでも特に、上記第１の面において、上記有天筒状部が折り目Ｐと反対側の端部に偏って設けられており、上記第１の面の平面部に、上記有天筒状部を挟むＶ字状の折り目Ｑと、このＶ字状の折り目Ｑの頂部から折り目Ｐに向かって長手方向に延びる直線状の折り目Ｒとが設けられ、これらの折り目Ｑ、Ｒを山折りすることにより、上記折り目Ｑに挟まれた部分が、平面部の折り目Ｒに対し傾斜するようになっている化粧料簡易容器を第２の要旨とし、そのなかでも、特に、上記折り目Ｒによって二つ折りされる平面部の折り返し面の片方に凸部が設けられ、同じくその他方に凹部が設けられており、上記折り目Ｒによって二つ折りされた平面部の二つ折り状態が、上記凸部と凹部の係合によって保持されるようになっている化粧料簡易容器を第３の要旨とする。
【００１１】
さらに、本発明は、そのなかでも、特に、上記第１の面に設けられた有天筒状部の、化粧料保持部を有する天面部が、折り目Ｐに向かって下り傾斜に傾いている化粧料簡易容器を第４の要旨とし、上記第１の面の平面部に、平面部から上向きもしくは下向きに突出する補強リブが設けられている化粧料簡易容器を第５の要旨とする。
【００１２】
また、本発明は、それらのなかでも、特に、上記第２の面に設けられた有底筒状の蓋部において、その底面に、化粧料充填用の穴が形成されているとともに、この穴を塞ぐためのシールが設けられており、上記第１の面に第２の面が折り重ねられた状態で、上記蓋部の化粧料充填用の穴から、第１の面の化粧料保持部に化粧料が充填され、充填後に上記化粧料充填用の穴が上記シールで塞がれるようになっている化粧料簡易容器を第６の要旨とする。
【００１３】
さらに、本発明は、それらのなかでも、特に、上記化粧料簡易容器が複数個、互いの長手方向に沿う側縁の少なくとも一部を連結させた状態でつながっており、各化粧料簡易容器の、重ね合わせられた第１の面と第２の面とが個別に開いて化粧料保持部が露出するようになっている化粧料簡易容器を第７の要旨とする。
【発明の効果】
【００１４】
本発明の化粧料簡易容器は、一枚の略帯状シートに凹凸形状が付与された略帯状シート体からなり、上記略帯状シート体を、折り目Ｐを介して第１の面と第２の面とを折り重ねることによって、第１の面に設けられた化粧料保持部を、第２の面に設けられた蓋部で被覆することができるようになっている。したがって、全体を非常に軽量でコンパクトな構成にすることができ、少量の化粧料を充填保持する化粧料サンプルや携帯用の化粧製品として用いるのに最適である。そして、真空成形等によって厚みのごく薄い樹脂シートから得ることができるため、材料コスト、製造コストも低く抑えることができ、使い捨てのサンプルや携帯用の商品等として安価な値段で提供することができるという利点を有する。
【００１５】
しかも、上記折り重ねられた略帯状シート体を開き、その略帯状に延びる部分を把持して第１の面に設けられた化粧料保持部の裏面側に指を添えるようにして化粧料保持部を肌に当てれば、直接化粧することができ、指を汚したり化粧チップを用いたりする必要がない。したがって、化粧の伸び具合や肌へのつけ心地を、ダイレクトに実感することができるという利点を有する。
【００１６】
また、本発明の化粧料簡易容器は、略帯状シート体の第１の面に設けられた有天筒状部の天面部を凹状に凹ませて、その凹状部を化粧料保持部としているため、化粧料保持部の周囲が、有天筒状部の筒状部分と、この筒状部分に連なる凹状部の周壁部とで二重に囲われている。したがって、全体がシート材料で形成されているものの、この化粧料保持部の周囲の強度が高く、変形しにくくなっており、この内側に保持された化粧料が、化粧時にずれたり落下したりしにくいという利点を有している。
【００１７】
そして、本発明のなかでも、特に、上記第１の面において、上記有天筒状部が折り目Ｐと反対側の端部に偏って設けられており、上記第１の面の平面部に、上記有天筒状部を挟むＶ字状の折り目Ｑと、このＶ字状の折り目Ｑの頂部から折り目Ｐに向かって長手方向に延びる直線状の折り目Ｒとが設けられ、これらの折り目Ｑ、Ｒを山折りすることにより、上記折り目Ｑに挟まれた部分が、平面部の折り目Ｒに対し傾斜するようになっている化粧料簡易容器は、上記第１の面の平面部を、折り目Ｑ、Ｒに沿って山折りすることによって、折り目Ｒに沿う部分の強度が高くなり、使用時に、この部分をよりしっかりと手で持つことができる。しかも、上記折り目Ｑで挟まれた、有天筒状部を含む部分が、折り目Ｒに対し傾斜した配置となるため、有天筒状部の天面部に設けられた化粧料保持部を肌に当てやすく、化粧しやすいものとなる。
【００１８】
また、上記折り目Ｑ、Ｒが設けられた化粧料簡易容器のなかでも、特に、上記折り目Ｒによって二つ折りされる平面部の折り返し面の片方に凸部が設けられ、同じくその他方に凹部が設けられており、上記折り目Ｒによって二つ折りされた平面部の二つ折り状態が、上記凸部と凹部の係合によって保持されるようになっているものは、折り目Ｒに沿う部分の二つ折り状態が固定されるため、より一層手で持ちやすく、化粧しやすいものとなる。
【００１９】
さらに、本発明のなかでも、特に、上記第１の面に設けられた有天筒状部の、化粧料保持部を有する天面部が、折り目Ｐに向かって下り傾斜に傾いている化粧料簡易容器は、上記のように、平面部に折り目Ｑ、Ｒを設けなくても、化粧料保持部を有する天面部自体が傾斜しているため、この部分を肌に当てて化粧しやすいものとなる。
【００２０】
そして、本発明のなかでも、特に、上記第１の面の平面部に、平面部から上向きもしくは下向きに突出する補強リブが設けられている化粧料簡易容器は、平面部の強度が高くなって全体の姿勢が安定するため、より一層手で持ちやすく、化粧しやすいものとなる。
【００２１】
また、本発明のなかでも、特に、上記第２の面に設けられた有底筒状の蓋部において、その底面に、化粧料充填用の穴が形成されているとともに、この穴を塞ぐためのシールが設けられており、上記第１の面に第２の面が折り重ねられた状態で、上記蓋部の化粧料充填用の穴から、第１の面の化粧料保持部に化粧料が充填され、充填後に上記化粧料充填用の穴が上記シールで塞がれるようになっている化粧料簡易容器は、第１の面に第２の面を折り重ねた状態で、上記蓋部の化粧料充填用の穴から、化粧料保持部に化粧料を充填することができる。このとき、平坦面の上に、折り重ねた略帯状シート体を安定した水平姿勢で載置して化粧料の充填作業を行うことができるため、作業性がよいという利点を有する。しかも、この構成によれば、化粧料の充填前、充填後を通じて、一貫して化粧料保持部を蓋部で覆った状態で取り扱うことができるため、製造時の衛生面に優れているという利点を有する。
【００２２】
さらに、上記化粧料簡易容器が複数個、互いの長手方向に沿う側縁の少なくとも一部を連結させた状態でつながっており、各化粧料簡易容器の、重ね合わせられた第１の面と第２の面とが個別に開いて化粧料保持部が露出するようになっている化粧料簡易容器は、複数種類の化粧料をセットで取り扱う場合や、少量の化粧料を複数個セットで取り扱う場合に、連結した化粧料簡易容器を一つずつ、必要に応じて使用することができるため、使い勝手のよいものとなる。
【図面の簡単な説明】
【００２３】
【図１】（ａ）は本発明の一実施形態の化粧料サンプルを示す斜視図、（ｂ）は上記化粧料サンプルを開いた状態を示す斜視図である。
【図２】（ａ）は図１（ｂ）のＡ−Ａ’断面図、（ｂ）は図１（ｂ）の平面図、（ｃ）は上記化粧料サンプルの部分的な拡大断面図である。
【図３】（ａ）は上記化粧料サンプルの使用形態の説明図、（ｂ）は上記使用形態における傾斜面の説明図である。
【図４】（ａ）は本発明の他の実施形態の化粧料サンプルを示す斜視図、（ｂ）は上記化粧料サンプルを開いた状態を示す斜視図、（ｃ）は（ｂ）の平面図、（ｄ）は（ｂ）のＢ−Ｂ’断面図、（ｅ）は上記化粧料サンプルの使用形態の説明図である。
【図５】（ａ）は本発明のさらに他の実施形態の化粧料サンプルを示す斜視図、（ｂ）は（ａ）のＣ−Ｃ'断面図、（ｃ）は（ａ）の平面図である。
【図６】（ａ）は本発明の他の実施形態の化粧料サンプルを示す斜視図、（ｂ）は上記化粧料サンプルの使用形態の説明図である。
【図７】（ａ）は本発明の化粧料サンプルにおける化粧料保持部の変形例を示す平面図、（ｂ）は（ａ）のＤ−Ｄ'断面図である。
【図８】（ａ）は本発明の化粧料サンプルにおける化粧料保持部の変形例を示す平面図、（ｂ）は（ａ）のＥ−Ｅ'断面図である。
【図９】（ａ）は本発明の化粧料サンプルにおける化粧料保持部の変形例を示す平面図、（ｂ）は（ａ）のＦ−Ｆ'断面図である。
【図１０】（ａ）は本発明の化粧料サンプルにおける化粧料保持部の変形例を示す平面図、（ｂ）は（ａ）のＧ−Ｇ'断面図である。
【図１１】（ａ）は本発明の化粧料サンプルにおける化粧料保持部の変形例を示す平面図、（ｂ）は（ａ）のＨ−Ｈ'断面図である。
【図１２】（ａ）は本発明の他の実施形態の化粧料サンプルを示す平面図、（ｂ）は（ａ）のＩ−Ｉ'断面図、（ｃ）は上記化粧料サンプルにおける化粧料の充填方法の説明図である。
【図１３】（ａ）は従来の化粧料サンプルの一例を示す斜視図、（ｂ）は（ａ）のＸ−Ｘ'断面図である。
【発明を実施するための形態】
【００２４】
つぎに、本発明を実施するための形態について説明する。ただし、本発明は、以下の実施の形態に限定されるものではない。
【００２５】
図１（ａ）は、本発明の一実施の形態である化粧料サンプル１１の、閉じた状態を示す斜視図であり、図１（ｂ）は、上記化粧料サンプル１１を開いた状態を示す斜視図である。また、図２（ａ）は、図１（ｂ）のＡ−Ａ'断面図、図２（ｂ）は、図１（ｂ）の平面図である。ただし、図１では化粧料１６を図示し、図２では、化粧料１６の図示を省略している。
【００２６】
これらの図に示されているように、この化粧料サンプル１１は、一枚の略帯状シート（厚み０．６ｍｍのポリエチレンテレフタレート製シート）に、型成形によって凹凸が付与された略帯状シート体からなり、その長手方向の中央部を幅方向に横切る折り目Ｐを境界として区切られた、第１の面１２と第２の面１３とを備えている。そして、上折り目Ｐを谷折りすることによって、上記第１の面１２に第２の面１３を重ねて二つ折りできるようになっている。
【００２７】
上記第１の面１２には、平面部１２ａと、この平面部１２ａの先端部（折り目Ｐと反対側の端部）から上向きに、型成形によって突出成形された有天筒状部１４とを備えている。そして、上記有天筒状部１４の天面部１４ａは、図２（ａ）に示すように、浅く凹んで、その凹状部分が化粧料保持部１５になっており、この化粧料保持部１５内に化粧料１６（この例では油性の口紅化粧料）が充填されている［図１（ｂ）参照］。
【００２８】
なお、上記有天筒状部１４の筒壁部は、その上部が上にいくほど縮径したドーム状になっている。また、第１の面１２の先端部は、図２（ｂ）に示すように、その平面視形状が、有天筒状部１４の筒壁部の輪郭に沿って円弧状になっている。そして、第１の面１２の平面部１２ａには、上記有天筒状部１４を挟むＶ字状の折り目Ｑと、この折り目Ｑの頂部から折り目Ｐに向かって長手方向に延びる直線状の折り目Ｒとが設けられている。
【００２９】
また、上記第２の面１３には、平面部１３ａと、この第２の面１３を図１（ｂ）に示すように後方に開いて延ばした状態において、上記平面部１３ａの先端部（折り目Ｐと反対側の端部）から下向きに、型成形によって突出成形された有底筒状の蓋部１７とを備えている。上記蓋部１７は、第１の面１２に設けられた有天筒状部１４と嵌合して化粧料保持部１５を蓋するものであり、上記有天筒状部１４より一回り大きなドーム状になっている。
【００３０】
なお、上記第２の面１３の幅は、上記第１の面１２の幅よりもやや大きく設定されており、両者を重ねたときに、第２の面１３の、長手方向に沿う両側縁が、第１の面１２の両側縁よりも外側に突出するようになっている。
【００３１】
また、上記第２の面１３の先端部（折り目Ｐと反対側の端部）には、浅い円弧状の切欠き部１８が設けられており、図１（ａ）に示すように、第１の面１２と第２の面１３とを重ねた状態において、上記切欠き部１８から第１の面１２の先端部分が突出するようになっている。したがって、この第１の面１２の突出部分に片方の手の親指をかけ、第２の面１３の長手方向に沿う両側縁に他方の手の親指と人指し指をかけて、第２の面１３を開くことにより、簡単に第１の面１２の化粧料１６を露出させることができる。
【００３２】
さらに、上記第２の面１３の平面部１３ａにも、第１の面１２の平面部１２ａと同様、上記有底筒状部１７を挟むＶ字状の折り目Ｑ’と、この折り目Ｑ’の頂部から折り目Ｐに向かって長手方向に延びる直線状の折り目Ｒ’とが設けられている。
【００３３】
この化粧料サンプル１１を用い、例えばつぎのようにして化粧することができる。すなわち、まず、図２（ｂ）に示すように、第２の面１３を開いて全体が平たく延びた状態から、折り目Ｑ、Ｑ’、Ｒ、Ｒ’をいずれも山折りする。これにより、図３（ａ）に示すように、化粧料サンプル１１の、化粧料保持部１５を有する有天筒状部１４と、有底筒状の蓋部１７とが、二つ折りされた平面部１２ａ、１３ａの折り目Ｒ、Ｒ'に対して後方に傾斜した形状となる。また、平面部１２ａ、１３ａの二つ折りされた部分は、二つ折りによって一定の強度が付与される。
【００３４】
そこで、上記平面部１２ａ、１３ａの二つ折りされた部分を把持し、有天筒状部１４の裏側に指先を添えて、その天面部１４ａに設けられた化粧料保持部１５の化粧料１６を唇に押し当てて横にずらすことにより、この化粧料サンプル１１の化粧料１６を試すことができる。このとき、化粧料保持部１５の化粧料１６が充填された面は、図示のように、後方に傾斜しており、その傾斜角度が、図３（ａ）の左側に示す、通常のスティック状の口紅化粧料３０の先端面３０ａの傾斜角度に倣った角度になっているため、通常の口紅化粧料３０によって化粧する場合と同じ感覚で化粧することができる。したがって、このものはサンプルであるにもかかわらず、あたかも実際の商品を用いて化粧するかのような使用感を得ることができ、化粧料１６の唇への付着感や伸び具合を実感することができる。
【００３５】
しかも、この化粧料サンプル１１は、第１の面１２に設けられた有天筒状部１４の天面部１４ａを凹状に凹ませて、その凹状部を化粧料保持部１５としているため、化粧料保持部１５の周囲が、有天筒状部１４の筒状部分と、この筒状部分に連なる凹状部の周壁部とで二重に囲われた構造になっている。したがって、全体がシート材料で形成されているものの、この化粧料保持部１５の周囲の強度が高く、変形しにくくなっており、この内側に保持された化粧料１６が、化粧時にずれたり落下したりしにくい、という利点を有している。
【００３６】
なお、上記化粧料サンプル１１は、色見本を兼ねるテスターとして店頭で陳列して、来店する顧客に試供させるのに用いることができる他、店頭や街頭で配布したり、ダイレクトメールで送付したりすることができる。また、上記化粧料サンプル１１を複数個一組としてお試しセットとしたり、トラベルセットや常用の携帯キットとしたりして、商品として販売することもできる。
【００３７】
上記の例において、化粧料サンプル１１の略帯状シート体に用いられるシート材としては、型成形によって賦形できる樹脂材料からなるものが用いられ、ポリエチレンテレフタレート（ＰＥＴ）の他、例えばポリプロピレン（ＰＰ）、ポリエチレン（ＰＥ）、ポリスチレン（ＰＳ）等の熱可塑性樹脂があげられる。なかでも、再生ＰＥＴを用いることが、コストおよび省資源の点で好適である。
【００３８】
そして、上記シート材の厚みも、上記の例に限らず、用いる材料および目的とする化粧料サンプル１１の大きさや形状等によって適宜に設定されるが、通常、０．１〜０．８ｍｍの範囲に設定することが好適である。すなわち、厚みが薄すぎると型成形が容易でなく、保形性の点でも好ましくない。逆に、厚みが厚すぎると、比較的重たいものとなり、コスト的にも好ましくない。
【００３９】
また、上記シート材に凹凸形状を付与して凹凸形状が付与された略帯状シート体を得る成形方法としては、真空成形の他、圧空成形やプレス成形等、樹脂製シート材を型成形によって凹凸形状を賦形する各種の成形方法を用いることができる。
【００４０】
さらに、上記の例では、平面部１２ａ、１３ａに設けられた折り目Ｑ、Ｑ’、Ｒ、Ｒ’を山折りすることによって、化粧料保持部１５が設けられた有天筒状部１４と、蓋部１７とを後方に傾斜させたが、このときの傾斜角度は、少なくとも、上記有天筒状部１４の傾斜角度θ［図３（ｂ）参照］が、１０〜６０°程度であることが好適である。この範囲の傾斜角度であると、唇への塗布作業がしやすく好適だからである。蓋部１７側の傾斜角度については、見栄え上、上記有天筒状部１４の傾斜角度θと同一にしているが、その角度は特に重要ではない。また、化粧料１６の種類や略帯状シート体の形状によっては、上記の例のように、折り目Ｑ、Ｑ'、Ｒ、Ｒ'によって化粧料保持部１５、あるいは化粧料保持部１５と蓋部１７に傾斜をつけることは、必ずしも必要ではない。
【００４１】
なお、上記の例のように、折り目Ｑ、Ｑ'、Ｒ、Ｒ'を山折りして、有天筒状部１４を傾斜させる場合、例えば、図４に示す化粧料サンプル２１のように、上記折り目Ｑ、Ｑ'、Ｒ、Ｒ'を山折りして平面部１２ａ、１３ａを二つ折りした状態を固定するための係合部を設けると、その折り立て形状が安定して固定されるため、好適である。なお、図４において、（ａ）は上記化粧料サンプル２１の斜視図、（ｂ）は上記化粧料サンプル２１を開いた状態を示す斜視図、（ｃ）は（ｂ）の平面図、（ｄ）は（ｂ）のＢ−Ｂ'断面図を示している。なお、図４（ｃ）、（ｄ）において、化粧料１６は図示を省略している。
【００４２】
この化粧料サンプル２１は、第１の面１２の平面部１２ａに、折り目Ｒを挟んで、上向きに突出成形された小凸部２２と、折り目Ｒによって二つ折りしたときに、この小凸部２２と係合するよう下向きに突出成形された小凹部２３とが設けられている。そして、第１の面１２と第２の面１３とを折り重ねたときに、第２の面１３が浮き上がらないように、第２の面１３の平面部１３ａに、上記小凸部２２を逃げるための凹部２４が下向きに突出成形されている［図４（ａ）の状態では、上向きに突出する凸部となる］。それ以外の構成は、図１に示す化粧料サンプル１１と同じであり、同一部分に同一番号を付してその説明を省略する。
【００４３】
この化粧料サンプル２１によれば、折り目Ｑ、Ｑ’、Ｒ、Ｒ’を山折りして折り立てる際、上記小凸部２２と小凹部２３とを係合すれば、図４（ｅ）に示すように、折り目Ｒによる二つ折り状態が固定され、全体として、図３（ａ）に示す形状が安定して固定される。したがって、平面部１２ａ、１３ａの二つ折り部を把持し、傾斜した有天筒状部１４の化粧料保持部１５を用いて化粧する際、その二つ折り部を強く押し付けて持つ必要がないため、非常に化粧しやすいものとなる。そして、数回繰り返して使用する場合は、化粧後、上記小凸部２２と小凹部２３との係合を外して第１の面１２に第２の面１３を折り重ねれば、すぐに図４（ａ）の状態に戻すことができ、取り扱いが簡単である。
【００４４】
また、上記の例のように、折り目Ｑ、Ｑ'、Ｒ、Ｒ'を山折りして化粧料保持部１５が設けられた有天筒状部１４を傾斜させるのではなく、例えば図５に示す化粧料サンプル３１のように、有天筒状部１４の天面部１４ａ自体に傾斜をつけてもよい。なお、図５において、（ａ）は上記化粧料サンプル２１を開いた状態を示す斜視図、（ｂ）は（ａ）のＣ−Ｃ'断面図、（ｃ）は（ａ）の平面図を示している。なお、図５（ｂ）、（ｃ）において、化粧料１６は図示を省略している。
【００４５】
この化粧料サンプル３１は、化粧料保持部１５が設けられた有天筒状部１４において、その天面部１４ａを、折り目Ｐに向かって下り傾斜に傾斜させたものである。この形状は、上記の例と同様、シート材に対する型成形によって、簡単に付与することができる。なお、蓋部１７も、上記有天筒状部１４の形状に合わせて、その天面部１７ａに傾斜がつけられており、蓋部１７を有天筒状部１４にスムーズに重ねることができるようになっている。そして、他の構成は、図１に示す化粧料サンプル１１と同様であり、同一部分に同一番号を付してその説明を省略する。
【００４６】
ただし、上記化粧料保持部３１には、その平面部１２ａ、１３ａに折り目Ｑ、Ｑ'、Ｒ、Ｒ'を設けて二つ折りする必要がないため、手で把持する部分が平坦なシートからなる平面部１２ａ、１３ａのままでは、用いるシートの厚みにもよるが、上記手で把持する部分が湾曲して化粧がしにくくなるおそれがある。そこで、図示のように、上記平面部１２ａに上向きに突出する、長手方向に延びる２本の補強リブ３２を設け、上記平面部１３ａに下向きに突出し上からみると凹んだ、長手方向に延びる２本の補強リブ３３を設けることが好適である。ただし、補強リブ３２、３３の突出の向きや形状は、第１の面１２と第２の面１３とを折り重ねるのに支障がなければ、この例に限るものではない。
【００４７】
なお、有天筒状部１４全体に傾斜をつける場合も、天面部１４ａのみに傾斜をつける場合も、天面部１４ａを一端凹状に凹ませて化粧料保持部１５を形成することが、その内側に充填される化粧料１６を安定的に保持する上で、重要である。また、この部分を唇に当てたときに違和感を与えないためにもその先端形状が重要である。これらの見地から、上記天面部１４ａが、有天筒状部１４の上端縁から凹む深さＨ［図２（ｃ）参照］は、０．１〜１．０ｍｍに設定することが好適である。
【００４８】
また、有天筒状部１４から凹んだ天面部１４ａの周縁部の曲率半径Ｔ［図２（ｃ）参照］は、０．０８〜１．５ｍｍに設定されていることが、化粧料保持性能にとりわけ優れたものとなり、好適である。
【００４９】
さらに、本発明の化粧料サンプルは、上述の各例に示すような構成の化粧料サンプル１１等が複数個、互いの長手方向に沿う側縁が連結した構成になっていてもよい。例えば、図１に示す化粧料サンプル１１が３個連結した連結サンプル４０を図６に示す。図６において、（ａ）は閉じた状態の連結サンプル４０を示す斜視図であり、（ｂ）は連結サンプル４０の各化粧料サンプル１１を全て開き、その一つを他の化粧料サンプル１１から外した状態を示す斜視図である。
【００５０】
この連結サンプル４０によれば、化粧料１６の色が異なる３種類の化粧料サンプル１１が、それぞれの第２の面１３の長手方向に沿う側縁において、切り目を介して互いに連結されており、それぞれを簡単に切り離すことができるようになっている。したがって、使用したい化粧料サンプル１１のみを、他の化粧料サンプル１１から切り離して、化粧に用いることができる。このとき、図６（ｂ）に示すように、他の化粧料サンプル１１も全て、その化粧料保持部１５を露出させて、化粧料１６の色味を確認してから、求める色の化粧料サンプル１１を切り離してもいいし、他の２つの化粧料サンプル１１は閉じた状態のまま、特定の化粧料サンプル１１のみを切り離してもよい。他の構成は、図１に示す化粧料サンプル１１と同一であり、同一部分に同一番号を付してその説明を省略する。
【００５１】
なお、このような連結サンプル４０において、上記の例では、第２の面１３の長手方向に沿う側面同士を連結したものであるが、例えば第１の面１２の幅が第２の面１３の幅と等しいかそれよりも大きく設定されている場合、第１の面１２の長手方向に沿う側面同士を連結したものであってもよい。また、互いの側面全体が連結されているのではなく、その一部が連結しているだけのものであっても差し支えない。
【００５２】
さらに、本発明の化粧料サンプル１１等（連結されたものも含む）が、一回ごとに使い捨てるものである場合は、第１の面１２と第２の面１３との境界となる折り目Ｐが切り目になっており、第１の面１２を第２の面１３から切り離して用いるようになっていても差し支えない。
【００５３】
また、本発明の化粧料サンプル１１等における化粧料保持部１５の変形例として、例えば、図７（ａ）およびそのＤ−Ｄ'断面図である図７（ｂ）に示すものがあげられる。この例では、第１の面１２の周縁部を除く部分に凸面部１２ｂが設けられており、第２の面１３の周縁部を除く部分に凹面部（裏からみると凸面部となる）１３ｂが設けられている。この構成によれば、第１の面１２と第２の面１３が、ともに立体感を有し、折れたり捩れたりしにくくなっている。また、有天筒状部１４の天面部１４ａが、その中央部が盛り上がった湾曲面になっているため、化粧料保持部１５に保持される化粧料１６（図示せず）の量が少なくても唇に付けやすいという利点を有する。
【００５４】
なお、図７（ａ）、（ｂ）において、第２の面１３に設けられた凹面部１３ｂのうち、蓋部１７の幅方向両側に配置される一対の端面部分５０が、互いに中心側に向かって突出している。この構成によれば、第１の面１２に第２の面１３を折り重ねる際、凸面部１２ｂと凹面部１３ｂとが嵌合し、上記端面部分５０が、凸面部１２ｂの端面部を押し付けて閉じた状態を安定保持することができる。ただし、この構成は、必ずしも必要ではない。
【００５５】
また、本発明の化粧料サンプル１１等における化粧料保持部１５の変形例として、例えば、図８（ａ）およびそのＥ−Ｅ'断面図である図８（ｂ）に示すものがあげられる。この例では、図７に示すものと同様、有天筒状部１４の天面部１４ａが、その中央側が盛り上がった湾曲面になっており、しかも、その盛り上がった中央部に若干のくぼみ部６０が設けられている。この構成によれば、化粧料保持部１５内に化粧料１６（図示せず）を充填する際、化粧料１６（図示せず）の流れが均一になり、偏って充填されにくいという利点を有する。
【００５６】
さらに、本発明の化粧料サンプル１１等における化粧料保持部１５の変形例として、例えば、図９（ａ）およびそのＦ−Ｆ'断面図である図９（ｂ）に示すものがあげられる。この例では、有天筒状部１４の天面部１４ａが、折り目Ｐがある側から先端側に向かって下り傾斜面になっており、化粧料１６（図示せず）を、化粧料保持部１５内の最もよく使う先端部に多く充填することができるため、化粧料１６が残り少なくなっても使いやすいという利点を有する。
【００５７】
また、本発明の化粧料サンプル１１等における化粧料保持部１５の変形例として、例えば、図１０（ａ）およびそのＧ−Ｇ'断面図である図１０（ｂ）に示すものがあげられる。この例では、有天筒状部１４の天面部１４ａの周縁部が深く凹んで環状溝７０になっており、その内側部分７１が、化粧料保持部１５の開口近傍の高さまで水平に盛り上がっている。この構成によれば、化粧料１６（図示せず）が少量でありながら、上記環状溝７０にも化粧料１６が入り込んで化粧料１６が均一に充填され、しかも使用時に化粧料１６が脱落しにくいという利点を有する。
【００５８】
さらに、本発明の化粧料サンプル１１等における化粧料保持部１５の変形例として、例えば、図１１（ａ）およびそのＨ−Ｈ'断面図である図１１（ｂ）に示すものがあげられる。この例では、図１０に示すものと同様、有天筒状部１４の天面部１４ａの周縁部が深く凹んで環状溝７０になっており、その内側部分７１が、化粧料保持部１５の開口近傍の高さまで盛り上がっている。そして、盛り上がった面が、水平ではなく、ドーム状に湾曲している。この構成によれば、化粧料１６（図示せず）が少量でありながら、上記環状溝７０にも化粧料１６が入り込んで化粧料１６が均一に充填され、その充填の際、化粧料１６が垂れにくい。しかも使用時に化粧料１６が脱落しにくいという利点を有する。
【００５９】
また、上記一連の化粧料サンプル１１等は、有天筒状部１４に設けられた化粧料保持部１５に、化粧料１６を充填した後、折り目Ｐを谷折りして第１の面１２に第２の面を重ねて蓋部１７を有天筒状部１４に被せることによって得られるものであるが、化粧料１６を充填するために、第１の面１２と第２の面１３とを平たく延ばすと、第２の面１３の下側に、蓋部１７が突出するため水平に載置できないという問題がある［図１（ｂ）を参照］。そこで、上記蓋部１７の突出分だけ第１の面１２を持ち上げた姿勢で化粧料１６の充填を行うことが好ましく、通常、そのための治具が用いられる。
【００６０】
これに対し、図１２（ａ）およびそのＩ−Ｉ'断面図である図１２（ｂ）に示すような化粧料サンプル８０を用いることにより、化粧料１６の充填時に、特別な治具を用いることなく、全体を水平に載置して化粧料１６を充填することができる。すなわち、この化粧料サンプル８０は、有底筒状の蓋部１７において、その底面部１７ａに、化粧料充填用の穴８１が形成されており、図１２（ｃ）に示すように、蓋部１７を有天筒状部１４に被せた状態で、上記穴８１から、化粧料保持部１５内に化粧料１６を充填することができるようになっている。
【００６１】
この構成によれば、下面に突出する部分がないため、全体をそのまま平坦面に載置し、安定した状態で化粧料１６の充填を行うことができる。そして、化粧料１６を充填した後、上記穴８１をシール８２で塞ぎ、化粧料１６を密封して市場に供給することができる。したがって、化粧料１６の充填前、充填後を通じて、一貫して化粧料保持部１５を蓋部１７で覆った状態で取り扱うことができ、製造時の衛生面に優れているという利点を有する。
【００６２】
また、上記一連の例は、化粧料１６として口紅化粧料を用いたが、これに限らず、アイカラー、チークカラー、フェイスシャドウ、コンシーラー等、各種の油性化粧料を用いることができる。
【実施例】
【００６３】
つぎに、本発明の実施例について説明する。
【００６４】
［実施例１］
まず、油性化粧料として、下記の組成の口紅化粧料を準備した。そして、このものを、図１に示す化粧料サンプルの化粧料保持部１５内に、０．１ｇだけ充填保持させることにより、目的とする化粧料サンプルを得た。
〈口紅化粧料の組成〉
パラフィンワックス                          ５．０重量部
セレシン                                    ５．０  〃
マイクロクリスタリンワックス                ３．０  〃
ワセリン                                  １０．０  〃
水添ポリイソブテン                        ２０．０  〃
リンゴ酸ジイソステアリル                  １０．０  〃
トリ（カプリル酸／カプリン酸）グリセリル      残量
赤２０１                                    ０．２  〃
赤２０２                                    １．０  〃
酸化鉄                                      ０．５  〃
酸化チタン                                  １．０  〃
パール                                      ３．０  〃
【００６５】
このものについて、下記の各評価項目について下記の手順にしたがって評価を行ったところ、いずれの評価項目についても「〇」であり、優れた性能を示すことがわかった。
【００６６】
〈充填性〉
化粧料サンプルを３０個準備し、それぞれの天面部における口紅化粧料の充填状態について観察した。そして、３０個のうち、口紅化粧料が天面部の側面側に垂れていたり、周縁部まで充分に充填されていなかったりする充填不良品の個数を数えて、下記のとおり評価した。
○…０個  △…１〜９個  ×…１０個以上
【００６７】
〈耐熱性〉
化粧料サンプルを３０個準備し、５５℃の雰囲気下において、図２（ａ）に示すような横倒しの姿勢で、２４時間放置した。そして、３０個のうち、口紅化粧料がずれたり脱落したものの個数を数えて、下記のとおり評価した。
○…０個  △…１〜９個  ×…１０個以上
【００６８】
〈感触〉
専門モニター１５名に、化粧料サンプルを試供させ、唇に塗布したときの感触を、その使い始めと使い終わりの２つの時期に分けて評価させた。評価基準は下記のとおりとし、最も多い人数の評価を、その評価とした。
○…全く違和感がない  ○’…殆ど違和感がなく問題ない  △…やや違和感があり気になる  ×…大きな違和感があり使用しにくい
【００６９】
〈使用中のずれ〉
化粧料サンプルを３０個準備し、専門モニター１５名が、各化粧料サンプルを２個ずつ試供し、計３０個のうち、使用中に口紅化粧料がずれたり脱落したりしたものの個数を数えて合計して、下記のとおり評価した。
○…０個  △…１〜９個  ×…１０個以上
【００７０】
また、図５〜図１１に示す各化粧料サンプル３１等についても、上記実施例１と同様にして評価を行ったところ、いずれの評価項目についても、「〇」もしくは「〇'」の評価であり、使い勝手のよいものであった。
【産業上の利用可能性】
【００７１】
本発明は、肌や唇に直接化粧料を塗ることのできる化粧料サンプルとして利用することができる。
【符号の説明】
【００７２】
１１  化粧料サンプル
１２  第１の面
１３  第２の面
１２ａ、１３ａ  平面部
１４  有天筒状部
１４ａ  天面部
１５  化粧料保持部
１７  蓋部
Ｐ    折り目
【図１】
2018134292.tif 000003
【図２】
2018134292.tif 000004
【図３】
2018134292.tif 000005
【図４】
2018134292.tif 000006
【図５】
2018134292.tif 000007
【図６】
2018134292.tif 000008
【図７】
2018134292.tif 000009
【図８】
2018134292.tif 000010
【図９】
2018134292.tif 000011
【図１０】
2018134292.tif 000012
【図１１】
2018134292.tif 000013
【図１２】
2018134292.tif 000014
【図１３】
2018134292.tif 000015